(57)【要約】      （修正有）【課題】取り付けが簡単なヒートシンクホルダ固定装置の提供。【解決手段】座体及び座体より上向きに延伸された中空柱体で構成され、中空柱体内にネジの挿入に供される収容溝が設けられ、且つ中空柱体の収容溝の挿入端が内向きに僅かに突出してストッパ部を形成し、座体側辺に挿入溝が設けられ、座体の収容溝底部に穿孔が設けられ、座体の挿入溝がホルダに設けられた位置決め片の外側に嵌合される時、位置決め片上の位置決め孔が座体の穿孔の位置に整合し、ネジを収容溝内に圧入すると、その軸が位置決め孔及び穿孔を貫通し、組立に便利な機能を達成し、且つ収容溝のストッパ部がネジの脱落を阻止し、固定装置及びネジがホルダの位置決め片上に位置制限されて弛んで脱落することがない。【選択図】図３
0003113131.tif 000002
【実用新案登録請求の範囲】
【請求項１】
座体及び座体より上向きに延伸された中空柱体で構成され、そのうち中空柱体内にネジの挿入に供される収容溝が形成され、且つ中空柱体の収容溝の挿入端にストッパ部が形成され、座体側辺に挿入溝が設けられ、該挿入溝にヒートシンクのホルダの位置決め片が挿入され、座体の収容溝底部位置に穿孔が設けられ、座体の挿入溝がホルダに設けられた位置決め片に嵌合される時、位置決め片に設けられた位置決め孔の位置が座体の穿孔の位置に整合し、ネジの軸が位置決め孔及び穿孔を貫通するように取り付けられることを特徴とする、ヒートシンクホルダ固定装置。
【請求項２】
請求項１記載のヒートシンクホルダ固定装置において、ストッパ部が中空柱体内の収容溝上方の挿入端が内向きに僅かに突出させられて形成されたことを特徴とする、ヒートシンクホルダ固定装置。
【請求項３】
請求項１記載のヒートシンクホルダ固定装置において、ストッパ部の上方に案内斜面が設けられたことを特徴とする、ヒートシンクホルダ固定装置。
【請求項４】
請求項１記載のヒートシンクホルダ固定装置において、中空柱体に少なくとも１本の軸方向溝が設けられたことを特徴とする、ヒートシンクホルダ固定装置。
【考案の詳細な説明】
【技術分野】
【０００１】
本考案はフィンタイプヒートシンクのホルダに応用される固定装置であり、特に、ホルダに嵌合されて、ホルダを固定するネジの取り付けに便利で、ネジを取り付け後にホルダ上で安定するようにして脱落を防止する固定装置に関する。
【背景技術】
【０００２】
現代社会にあってコンピュータの使用はますます普及し、コンピュータ使用の要求は仕事の補助のほか、その他の機能及び運転速度アップがますます求められるようになっている。更なる多機能化及び演算速度アップのため、コンピュータ中のＣＰＵは更に強大な機能を具備する必要があり、高性能のコンピュータのＣＰＵが運転する時、温度は急速に上昇し、摂氏１００度近くの高温に達することもある。
【０００３】
ＣＰＵの運転中に、続けて高温状況下にあると、停止したり、さらには損壊する状況が発生しうる。このような状況の発生を防止するため、ＣＰＵの運転時には放熱することが必要であり、このため周知の技術によると、フィンタイプのヒートシンクによりＣＰＵに対する放熱を行なっている。
【０００４】
図１に示されるように、ヒートシンクＡは使用前に、まずホルダ１０に取り付ける必要があり、ホルダ１０には複数の位置決め片１１が設けられ、各位置決め片に位置決め孔１２が設けられ、ネジ３０の挿通に供される。ネジ３０を位置決め片１１の位置決め孔１２に取り付ける前に、まずネジの軸にバネ２５を嵌合し、更にネジ３０の軸を位置決め孔１２に通し、バネ２０を位置決め片１１とネジ頭の間に保持し、最後に位置決め片１１底部より突出するネジ３０の下端にＣ形スナップリング２１を嵌合し、ネジ３０を位置決め片１１に位置決めし、ネジ３０の脱落を防止する。
【０００５】
図２に示されるように、ヒートシンクＡがホルダ１０に取り付けられた後、ネジ３０によりホルダ１０がＣＰＵ  Ｂが設けられたプリント回路板Ｃに螺設され、そのうち、プリント回路板Ｃの下方には螺設シートＤが設けられ、ネジ３０でホルダ１０がプリント回路板Ｃに螺設される。
【０００６】
前述の周知の技術から分かるように、ヒートシンクＡは事前にホルダ１０に取り付けられてから、プリント回路板Ｃに螺設されて、ヒートシンクＡがちょうどＣＰＵ  Ｂの上方に位置決めされ、並びに相互に隣接させられる。
【０００７】
ただし、ホルダ１０はプリント回路板Ｃを取り付ける前にはＣ形スナップリング２１によってのみ位置決め片１１の底端にネジ３０を保持してネジ３０及びバネ２０のホルダ１０の位置決め片１１からの脱落を防止しており、且つＣ形スナップリング２１でネジ３０を保持する前に、先にネジ３０をバネ２０内に挿通させなければ取り付けを完成できず、その手続きは複雑で、使用上、比較的不便である。
【０００８】
前述のＣ形スナップリング２１は、取り付け手続きが複雑であるほか、その構造は安定してネジの軸を保持できず、外力の影響によりＣ形スナップリング２１がネジ３０より脱落しやすく、このためネジ３０とバネ２０が位置決め片１１の位置決め孔１２より脱落しやすく、部品が遺失する状況が出現し、これが現在の使用時の大きな問題であり、改善の必要がある。
【考案の開示】
【考案が解決しようとする課題】
【０００９】
本考案のヒートシンクホルダ固定装置の主要な構造は、座体及び座体より上向きに延伸された中空柱体で構成され、中空柱体内にネジの挿入に供される収容溝が設けられ、且つ中空柱体の収容溝の挿入端が内向きに僅かに突出してストッパ部を形成し、座体側辺に挿入溝が設けられ、座体の収容溝底部に穿孔が設けられたものとされる。
【００１０】
本考案の目的は、座体の挿入溝にホルダの位置決め片を挿入する時、位置決め片の位置決め孔の位置が座体の穿孔の位置と整合し、ネジを収容溝内に圧入するだけで、その軸がこれら二つの孔を貫通し、固定装置がホルダの位置決め片に嵌設され、簡単に取り付けが完成するようにすることにある。
【００１１】
本考案の別の目的は、中空柱体内の収容溝の挿入端にストッパ部を設けてネジの固定装置からの脱落を防止し、固定装置及びネジのホルダからの脱落を防止することにある。
【課題を解決するための手段】
【００１２】
請求項１の考案は、座体及び座体より上向きに延伸された中空柱体で構成され、そのうち中空柱体内にネジの挿入に供される収容溝が形成され、且つ中空柱体の収容溝の挿入端にストッパ部が形成され、座体側辺に挿入溝が設けられ、該挿入溝にヒートシンクのホルダの位置決め片が挿入され、座体の収容溝底部位置に穿孔が設けられ、座体の挿入溝がホルダに設けられた位置決め片に嵌合される時、位置決め片に設けられた位置決め孔の位置が座体の穿孔の位置に整合し、ネジの軸が位置決め孔及び穿孔を貫通するように取り付けられることを特徴とする、ヒートシンクホルダ固定装置としている。
請求項２の考案は、請求項１記載のヒートシンクホルダ固定装置において、ストッパ部が中空柱体内の収容溝上方の挿入端が内向きに僅かに突出させられて形成されたことを特徴とする、ヒートシンクホルダ固定装置としている。
請求項３の考案は、請求項１記載のヒートシンクホルダ固定装置において、ストッパ部の上方に案内斜面が設けられたことを特徴とする、ヒートシンクホルダ固定装置としている。
請求項４の考案は、請求項１記載のヒートシンクホルダ固定装置において、中空柱体に少なくとも１本の軸方向溝が設けられたことを特徴とする、ヒートシンクホルダ固定装置としている。
【考案の効果】
【００１３】
本考案のヒートシンクホルダ固定装置は、座体及び座体より上向きに延伸された中空柱体で構成され、中空柱体内にネジの挿入に供される収容溝が設けられ、且つ中空柱体の収容溝の挿入端が内向きに僅かに突出してストッパ部を形成し、座体側辺に挿入溝が設けられ、座体の収容溝底部に穿孔が設けられ、座体の挿入溝がホルダに設けられた位置決め片の外側に嵌合される時、位置決め片上の位置決め孔が座体の穿孔の位置に整合し、ネジを収容溝内に圧入すると、その軸が位置決め孔及び穿孔を貫通し、組立に便利な機能を達成し、且つ収容溝のストッパ部がネジの脱落を阻止し、固定装置及びネジがホルダの位置決め片上に位置制限されて弛んで脱落することがない。
【考案を実施するための最良の形態】
【００１４】
図３に示されるように、本考案のヒートシンクホルダ固定装置４０は、ホルダ１０の位置決め片１１の外側に嵌合され、その主要な構造は、座体４１と座体４１より上向きに延伸された中空柱体４２で構成される。そのうち、座体４１の側辺に挿入溝４３が設けられて固定装置４０をホルダ１０に設けられた位置決め片１１に嵌合するのに供される。
【００１５】
図４は図３の局部拡大図であり、並びに固定装置４０の局部が破断されて固定装置４０の内部構造を表示している。
【００１６】
中空柱体４２内にネジが挿入される収容溝４４が形成され、且つ座体４１の収容溝４４の底部位置にネジ３０を貫通させる穿孔４５が設けられ、また収容溝４４の挿入端に内向きに僅かに突出するストッパ部４６が形成され、収容溝４４内のストッパ部４６は挿入端位置で比較的小さい幅を形成し、ストッパ部４６の上方に案内斜面４７が設置され、且つ前述の中空柱体４２の側壁に複数の軸方向溝４８が設置されている。
【００１７】
図５は本考案の断面図であり、固定装置４０の座体４１側辺の挿入溝４３がホルダ１０の位置決め片１１外側に未嵌合の状態を示す。中空柱体４２内の収容溝４４の挿入端のストッパ部４６は、収容溝４４の挿入端位置にあって比較的小さい幅を形成し、ネジ３０を挿入溝４４内に圧入する時、ストッパ部４６の上方に設置された案内斜面４７により、ネジ３０が順調に挿入溝４４内に挿入される。
【００１８】
本実施例中、中空柱体４２の外側に少なくとも一つの軸方向溝４８が設けられ、上述のネジ３０を案内斜面４７に沿って収容溝内に圧入する時、ネジ３０が収容溝４４中のストッパ部４６を圧迫して収容溝４４が形成された中空柱体４２を弾性拡張させる時、軸方向溝４８の設置により中空柱体に変形の空間を具備させる。
【００１９】
図６は本考案の別の断面図であり、図中の固定装置４０はホルダ１０に嵌合され、且つネジ３０が収容溝４４に挿入された後の状況を示す。そのうち、座体４１の側辺の挿入溝４３はホルダ１０の位置決め片１１の外側に嵌合され、このとき位置決め片１１の位置決め孔１２は座体４１の穿孔４５と整合し、ネジ３０がこれら二つの孔を貫通する。
【００２０】
前述のネジ３０を収容溝４４内に挿入された後、ストッパ部４６によりネジ３０が収容溝４４内に制限され、また座体４１が位置決め片１１より脱落する状況が防止される。
【００２１】
前述の各図から分かるように、本考案はホルダ１０に嵌合する時に、座体４１側辺の挿入溝４３をホルダ１０の位置決め片１１に嵌合させ、更にネジ３０を座体４１上方の中空柱体４２内の収容溝４４中に圧入すれば、取り付けが完成し、その手続きは簡便であり、且つ取り付け完成後に座体４１がしっかりと位置決め片１１に嵌合され、ネジ３０の位置決め片１１及び固定装置４０からの脱落が防止される。
【００２２】
上述したように、本考案は実施可能な好ましい固定装置を提供している。なお、以上の実施例は本考案の実施範囲を限定するものではなく、本考案に基づきなしうる細部の修飾或いは改変は、いずれも本考案の請求範囲に属するものとする。
【図面の簡単な説明】
【００２３】
【図１】周知の固定装置の立体図である。
【図２】周知の固定装置の組合せ後の断面図である。
【図３】本考案の立体図である。
【図４】本考案の局部拡大及び部品部分断面図である。
【図５】本考案の断面図である。
【図６】本考案の別の断面図である。
【符号の説明】
【００２４】
Ａ  ヒートシンク                  Ｂ  ＣＰＵ
Ｃ  プリント回路板                Ｄ  ネジ止めシート
１０  ホルダ                      １１  位置決め片
１２  位置決め孔
２０  バネ                        ２１  Ｃ形スナップリング
３０  ネジ
４０  固定装置                    ４１  座体
４２  中空柱体                    ４３  挿入溝
４４  収容溝                      ４５  穿孔
４６  ストッパ部                  ４７  案内斜面
４８  軸方向溝
【図１】
0003113131.tif 000003
【図２】
0003113131.tif 000004
【図３】
0003113131.tif 000005
【図４】
0003113131.tif 000006
【図５】
0003113131.tif 000007
【図６】
0003113131.tif 000008